(57)【要約】【課題】  建物の床下にヘッダーを設けて各種排水設備からの排水を建物外部の排水桝へ接続された排水システムにおいて、封水が引き込まれるのを防止する住宅用排水システムを提供する。【解決手段】  建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎４の外側地中に埋設された排水桝の流入側接続部に接続されている住宅用排水システムにおいて、排水主管３が、建物の外周基礎４の外側で第一のエルボＮ１を介して下方向へ曲げられ、第二のエルボＮ２を介して横方向へ曲げられて排水枡５へ接続され、第二のエルボＮ２の流路底部に板状の突起が設けられている。【選択図】  図３
2005226255.tif 000002
【特許請求の範囲】
【請求項１】
建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、排水主管が、建物の外周基礎の外側で第一のエルボを介して下方向へ曲げられ、さらに第二のエルボを介して横方向へ曲げられて排水枡へ接続されており、第二のエルボの流路底部に管路の流れ方向に沿って板状の突起が設けられていることを特徴とする住宅用排水システム。
【請求項２】
突起の高さが、流入側で低く、流入側から流出側へ徐々に高くなっていることを特徴とする請求項１記載の住宅用排水システム。
【発明の詳細な説明】
【技術分野】
【０００１】
この発明は、各種の排水設備におけるトラップ封水の引き込みを防止する住宅用排水システムに関する。
【背景技術】
【０００２】
従来、住宅等の建物における排水システムでは、台所やトイレ、洗面所などの水回り設備から排出された排水は、排水枝管を通して建物の外側地中に埋設された複数の排水桝にそれぞれ流れ込み、各排水桝を接続する排水本管を経て公共桝に流れ、下水道本管へ排水されていた。
【０００３】
前記排水システムの場合、排水桝及び排水本管が建物の外周基礎と敷地境界との間に埋設されており、近年では宅地の狭小化に伴ってこれらの埋設スペースが狭められ、排水桝や排水本管の配管工事が困難になる傾向にあった。
【０００４】
そこで、本出願人は、前記の問題点を解決すべく特許文献１に開示されているような住宅用排水システムを開発している。この住宅用排水システムでは、建物の床下に、複数の流入側受け口と、一つの流出側受け口を備えたヘッダーが配設されている。このヘッダーの各流入側受け口には、建物内に設置された各種排水設備に接続された排水枝管の流出側端部がそれぞれ接続されている。ヘッダーの流出側受け口には、排水主管の流入側端部が接続され、この排水主管の下流側端部は、建物の外周基礎の外側地中に埋設された排水桝の流入側受け口と接続されている。そして、排水桝は排水本管に接続されて、排水本管の下流側端部が公共桝の流入側端部と接続された構成となっている。
【０００５】
かかる排水システムにより、建物の外周基礎の外側に埋設される排水桝は一つですむこととなり、狭小な敷地においても排水桝等を配設するスペースを確保でき、また、外周基礎に形成する排水主管の貫通孔も一つですむため基礎強度を確保することができる。
【０００６】
【特許文献１】特開２００１−２２０７８９号公報
【発明の開示】
【発明が解決しようとする課題】
【０００７】
ところで一般に、複数本の排水管を接続し、排水を合流させるための排水桝は、建物内の排水設備から勢いよく排水されたり、大量に排水されたりすると、排水管内の空気をともに排水桝へ排出してしまうので、管路内が負圧になり、排水設備に設けられているトラップの封水を引き込むといった封水障害が発生する。かかる封水障害は、排水桝において十分な容積を確保し、大量の排水が流れ込んでも圧力変動を吸収するように構成することで解消することができる。しかしながら、排水桝を大型化するといった解決手段は、排水桝の設置工事に手間がかかるため適当ではなく、前記のように近年の宅地事情によって狭小化した敷地内においては、排水桝を大型化することが物理的に困難であるので、排水桝を大型化することなく、かかる封水障害を解消することが求められる。
【０００８】
本発明は以上のような事情にかんがみてなされたものであり、建物の床下にヘッダーを設けて各種排水設備からの排水を建物外部の排水桝へ接続された排水システムにおいて、封水が引き込まれるのを防止する住宅用排水システムを提供することを目的とする。
【課題を解決するための手段】
【０００９】
請求項１記載の住宅用排水システムは、建物内に設置された各種の排水設備に接続された排水枝管が、建物の床下に配設されたヘッダーの複数の流入側接続部にそれぞれ接続され、ヘッダーの流出側接続部と接続された排水主管の下流側端部が、建物の外周基礎の外側地中に埋設された排水桝の流入側接続部に接続されている住宅用排水システムにおいて、排水主管が、建物の外周基礎の外側で第一のエルボ（以下「第１エルボ」ともいう）を介して下方向へ曲げられ、さらに第二のエルボ（以下「第２エルボ」ともいう）を介して横方向へ曲げられて排水枡へ接続されており、第２エルボの流路底部に管路の流れ方向に沿って板状の突起が設けられていることを特徴としている。
【００１０】
このため、排水が第１エルボで下方向へ曲げられ、下方向へ落下する際に加速され第２エルボで横方向へ曲げられることで発生する乱流の方向を、上記突起の働きにより排水枡側へ揃えることが可能となり、排水の滞留を解消し、通気路を確保することができ、封水障害を解消することができる。
【００１１】
請求項２記載の住宅用排水システムは、請求項１記載の発明であって、突起の高さが、流入側で低く、流入側から流出側へ徐々に高くなっていることを特徴とするものである。
【００１２】
この場合、流入部において汚物や紙類などが突起に引っかかり、排水不良になるのを防止できるため、上記効果は更に確実なものとなる。
【発明の効果】
【００１３】
本発明の住宅用排水システムによれば、排水桝へ接続された排水主管を流れる排水に対して、排水の滞留を解消し、通気路を確保することができるので、排水設備に設けられた封水を排水桝側へ引き込んでしまうことがなく、円滑な排水を確保することができる。
【発明を実施するための最良の形態】
【００１４】
以下、本発明に係る住宅用排水システムを実施するための最良の形態について、図面を参照しつつ説明する。
【００１５】
図１及び図２は、本発明の前提となる住宅の排水システム構造を示している。図示するように、建物内に設置された台所、トイレ、洗濯機、浴室などの各種の排水設備Ｗに接続された排水枝管１は、建物の床下に配設されているヘッダー２の複数の流入側接続部２１にそれぞれ接続されている。このヘッダー２により、建物内の排水設備Ｗで生じた排水を一箇所に集水して排水させる構成となっている。
【００１６】
ヘッダー２の流出側接続部２２は、９０°曲がり継手等を介して排水主管３の上流側端部に接続され、この排水主管３の下流側端部は建物の外周基礎４の外側地中に埋設された排水桝５の流入側接続部５１に接続されている。
【００１７】
また、図２に示すように、排水主管３には、外周基礎４の手前で４５°エルボＭに接続されて下方への勾配が設けられている。さらに、排水主管３が接続された排水桝５の流出側接続部には、排水を図示しない公共桝及び下水道本管に導く排水本管６が接続されている。
【００１８】
このように構成される排水システムでは、建物の外周基礎４に形成する配管用貫通孔が少なくてすみ、建物の外周基礎４の強度低下を生じることがない。また、建物の外周基礎４の外側の敷地内に埋設する排水桝５は一つであるので、狭小地にも適用できるものとなっている。
【実施例１】
【００１９】
次に、本発明に係る住宅用排水システムの実施例１について説明する。図３及び図４は、本発明の住宅用排水システムの実施例１を示す模式図である。
【００２０】
図３に示すように、排水主管３が、建物の外周基礎４の外側で第一の９０°エルボ（第１エルボ）Ｎ１を介して下方向へ曲げられ、さらに第二の９０°エルボ（第２エルボ）Ｎ２を介して横方向へ曲げられて排水主管３の下流側端部は排水枡５の流入側接続部５１へ接続されている。
【００２１】
さらに図４に示すように、第２エルボＮ２の流路底部に管路の流れ方向に沿って板状の突起７が設けられている。この場合、突起７の寸法は、管径により適時選択されるが、高さ１０〜２５ｍｍ、幅１〜５ｍｍ程度が好適である。
【００２２】
このように板状の突起７が設けられることで、排水に発生する乱流の方向を排水枡５側へ揃えることが可能となり、排水の滞留を解消し、通気路を確保することができ、封水障害を解消することができる。
【実施例２】
【００２３】
次に、本発明に係る住宅用排水システムの実施例２について説明する。図３及び図５は、住宅用排水システムの実施例２を示す模式図である。
【００２４】
この住宅用排水システムでは、図３に示すように、排水主管３が、建物の外周基礎４の外側で第一の９０°エルボ（第１エルボ）Ｎ１を介して下方向へ曲げられ、さらに第二の９０°エルボ（第２エルボ）Ｎ２を介して横方向へ曲げられて排水主管３の下流側端部は排水枡５の流入側接続部５１へ接続されている。
【００２５】
さらに図５に示すように、第２エルボＮ２の流路底部に管路の流れ方向に沿って板状の突起７が設けられ、突起の高さが流入側８で低く、流入側８から流出側９へ徐々に高くなっている。
【００２６】
このように板状の突起７が設けられることで、排水に発生する乱流の方向を排水枡５側へ揃えることが可能となり、排水の滞留を解消し、通気路を確保することができ、封水障害を解消することができるとともに、流入側８において汚物や紙類などが突起７に引っかかり、排水不良になることを防止することができる。
【図面の簡単な説明】
【００２７】
【図１】本発明の前提となる住宅の排水システム構造を示す横断面説明図である。
【図２】本発明の前提となる住宅の排水システム構造を示す模式図である。
【図３】本発明に係る住宅用排水システムの実施例を示す模式図である。
【図４】実施例１における第２エルボを例示する側面図及び正面図である。
【図５】実施例２における第２エルボを例示する側面図及び正面図である。
【符号の説明】
【００２８】
１    排水枝管
２    ヘッダー
２１  流入側接続部
２２  流出側接続部
３    排水主管
４    外周基礎
５    排水桝
５１  流入側接続部
６    排水本管
７    板状の突起
８    流入側
９    流出側
【図１】
2005226255.tif 000003
【図２】
2005226255.tif 000004
【図３】
2005226255.tif 000005
【図４】
2005226255.tif 000006
【図５】
2005226255.tif 000007